【事件の表示】
　特願２０１８−１０８２１７「タッチスクリーンを有する有機発光表示装置及びその製造方法」拒絶査定不服審判事件〔平成３０年１２月２７日出願公開、特開２０１８−２０５７４４〕について、次のとおり審決する。
【結　論】
　本件審判の請求は、成り立たない。
【理　由】
第１　手続の経緯
　本願は、平成３０年６月６日（パリ条約による優先権主張２０１７年６月７日、韓国）の出願であって、その手続の経緯は以下のとおりである。
　令和元年　５月　３１日付け：拒絶理由通知
　令和元年　９月　　３日：　　意見書の提出
　令和元年１０月　２５日付け：拒絶査定（送達日：同月２９日）
　令和２年　２月　２８日：　　拒絶査定不服審判の請求
　
第２　本願発明
　本願の請求項１〜２１に係る発明は、願書に最初に添付された明細書、特許請求の範囲、及び図面の記載からみて、その特許請求の範囲の請求項１〜２１に記載された事項により特定されるところ、その請求項１の記載は以下のとおりである。
　
「アクティブ領域と非アクティブ領域を有する基板；
　前記アクティブ領域に配置された複数の薄膜トランジスタ；
　前記アクティブ領域に前記薄膜トランジスタのそれぞれに接続された発光素子；
　前記薄膜トランジスタ及び発光素子を覆う封止層；
　前記封止層上の前記アクティブ領域に互いに交差して配置される複数の第１タッチ電極及び第２タッチ電極を含むタッチ電極アレイ；
　前記基板の同じ辺に位置する非アクティブ領域に、離隔して平行に配置された複数の表示パッド及び複数のタッチパッド；及び
　前記表示パッド及びタッチパッドに一緒に接続されたフレキシブルプリント回路基板を含む、有機発光表示装置。」
　上記記載において、「前記アクティブ領域
に
の
「アクティブ領域と非アクティブ領域を有する基板；
　前記アクティブ領域に配置された複数の薄膜トランジスタ；
　前記アクティブ領域
の
　前記薄膜トランジスタ及び発光素子を覆う封止層；
　前記封止層上の前記アクティブ領域に互いに交差して配置される複数の第１タッチ電極及び第２タッチ電極を含むタッチ電極アレイ；
　前記基板の同じ辺に位置する非アクティブ領域に、離隔して平行に配置された複数の表示パッド及び複数のタッチパッド；及び
　前記表示パッド及びタッチパッドに一緒に接続されたフレキシブルプリント回路基板を含む、有機発光表示装置。」
　
第３　原査定の拒絶の理由
　原査定の拒絶の理由は、本願の請求項１−２１に係る発明は、その優先日前の特許出願であって、本願の出願後に出願公開がされた特願２０１７−２１１８７号（特開２０１８−１２８８３５号）（以下「先願」という。）の願書に最初に添付した明細書、特許請求の範囲又は図面（以下「先願明細書等」という。）に記載された発明と同一であり、しかも、本願の発明者が先願の発明者と同一ではなく、また本願の出願の時において、その出願人が先願の出願人と同一でもないので、特許法２９条の２の規定により、特許を受けることができない、というものである。
第４　先願発明
　原査定の拒絶の理由に引用された先願明細書等には、次の事項が記載されている。なお、下線は当審で付したものである。
（１）「【０００９】
　図１は、実施形態に係るタッチセンサ内蔵表示装置（以下、単に表示装置ともいう）の平面図である。図２は、図１に示す一点鎖線の枠内を拡大した図である。表示装置の例として、
有機ＥＬ表示装置
【００１０】
　表示装置１は、表示パネル１０と、表示パネル１０の表示領域１５上に形成されたタッチセンサ２０とを有している。表示パネル１０の表示領域１５の外側には周辺領域（額縁領域）１１が形成されており
周辺領域１１のＦＰＣ１３が接続される辺
（２）「【００１３】
　基板３０は、例えばガラス、又はポリイミド等の可撓性がある樹脂からなる。
基板３０は
半導体層４１、ゲート電極４３、ドレイン電極４５及びソース電極４７により薄膜トランジスタ４０が構成される
薄膜トランジスタ４０は、複数の単位画素のそれぞれに対応するように設けられている。
（３）「【００１６】
　層間絶縁膜５３上には画素電極６１（例えば陽極）が形成されている。
画素電極６１は、
ソース電極４７に接続されている。画素電極６１は、複数の単位画素のそれぞれに対応するように個別に設けられている。
（４）「【００２０】
　発光層６３及び画素分離膜５５は対向電極６５（例えば陰極）によって覆われている。
対向電極６５は、表示領域１５の全体に広がる一様な膜（いわゆるベタ膜）として形成されている。発光層６３並びに発光層６３を挟む画素電極６１及び対向電極６５によって発光素子６０が構成され、
【００２１】
　画素分離膜５５及び
対向電極６５は、封止膜（パシベーション膜）７０によって覆われることで封止され
（５）「【００２４】
　表示装置１は、封止膜７０上にタッチセンサ２０を有している。
封止膜７０上には、２次元的に配列された複数の第１電極２１と複数の第２電極２２とが形成されている。第１電極２１と第２電極２２とは、静電容量方式タッチセンサの駆動電極と検出電極とを構成する。
（６）「【００２６】
　複数の第１電極２１はＸ方向とＹ方向とにそれぞれ並んで２次元的に配列されている。
複数の第１電極２１は、
Ｘ方向に延びる複数の電極列をそれぞれ形成しており、
【００２７】
　複数の第２電極２２もＸ方向とＹ方向とにそれぞれ並んで２次元的に配列されている。
複数の第２電極２２は、
Ｙ方向に延びる複数の電極列を形成しており、
（７）「【００３９】
　一方、表示領域１５から離れた端子６８（第２端子）には、異方導電部材１３９を介してＦＰＣ１３が接続されている。また、周辺領域１１には発光素子６０に電気的に接続された不図示の端子（第３端子）も設けられており、この不図示の端子にも異方導電部材１３９を介してＦＰＣ１３が接続されている。この不図示の端子は、例えば薄膜トランジスタ４０及び集積回路チップ１２等を介して発光素子６０に電気的に接続されている。」
（８）「【００４４】
　さらに、本実施形態では、
ＦＰＣ１３は、タッチセンサ２０に電気的に接続された端子６８（第２端子）と、発光素子６０に電気的に接続された
端子（第３端子）との両方に接続されている。
（９）先願明細書等の図３及び段落【００１３】、【００２０】、【００２１】の記載から、封止膜７０が薄膜トランジスタ４０及び発光素子６０を覆っていることが見て取れる。
【図１】
                                               
【図３】
   
　
　上記記載から、先願明細書等には、次の発明（以下、「先願発明」という。）が記載されているといえる。
「表示パネル１０と、表示パネル１０の表示領域１５上に形成されたタッチセンサ２０とを有しており、表示パネル１０の表示領域１５の外側には周辺領域（額縁領域）１１が形成されており、周辺領域１１にＦＰＣ１３が接続され（【００１０】）、
　基板３０には、半導体層４１、ゲート電極４３、ドレイン電極４５及びソース電極４７により薄膜トランジスタ４０が構成され、薄膜トランジスタ４０は、複数の単位画素のそれぞれに対応するように設けられており（【００１３】）、
　画素電極６１は、ソース電極４７に接続され、複数の単位画素のそれぞれに対応するように個別に設けられており（【００１６】）、
　対向電極６５は、表示領域１５の全体に広がる一様な膜（いわゆるベタ膜）として形成され、発光層６３並びに発光層６３を挟む画素電極６１及び対向電極６５によって発光素子６０が構成され（【００２０】）、
　封止膜７０が薄膜トランジスタ４０及び発光素子６０を覆っており（【００１３】、【００２０】、【００２１】、図３）、
　封止膜７０上には、２次元的に配列された複数の第１電極２１と複数の第２電極２２とが形成されており、第１電極２１と第２電極２２とは、静電容量方式タッチセンサの駆動電極と検出電極とを構成し（【００２４】）、
　複数の第１電極２１はＸ方向とＹ方向とにそれぞれ並んで２次元的に配列され、複数の第１電極２１は、Ｘ方向に延びる複数の電極列をそれぞれ形成しており（【００２６】）、
　複数の第２電極２２もＸ方向とＹ方向とにそれぞれ並んで２次元的に配列され、複数の第２電極２２は、Ｙ方向に延びる複数の電極列を形成しており（【００２７】）、
　ＦＰＣ１３は、タッチセンサ２０に電気的に接続された端子６８（第２端子）と、発光素子６０に電気的に接続された端子（第３端子）との両方に接続されている（段落【００４４】）、有機ＥＬ表示装置（【０００９】）。」
　
第５　対比・判断
１　本願発明と先願発明の対比
（１）先願発明の「表示領域１５」、「周辺領域１１」に対応する「基板３０」の領域は、それぞれ本願発明の「アクティブ領域」、「非アクティブ領域」に相当するから、先願発明の「基板３０」は、本願発明の「アクティブ領域と非アクティブ領域を有する基板」に相当する。
（２）先願発明の「薄膜トランジスタ４０」は、「複数の単位画素のそれぞれに対応するように設けられて」いるものであるから、「表示領域１５に」複数配置されていることは明らかであって、本願発明の「アクティブ領域に配置された複数の薄膜トランジスタ」に相当する。
（３）先願発明の「発光素子６０」は、それを構成する「画素電極６１」が、「薄膜トランジスタ４０」の「ソース電極４７に接続され、複数の単位画素のそれぞれに対応するように個別に設けられて」いるものであるから、本願発明の「アクティブ領域の前記薄膜トランジスタのそれぞれに接続された発光素子」に相当する。
（４）先願発明の「封止層７０」は、「表示領域１５の全体に広がる一様な膜（いわゆるベタ膜）として形成され」た「対向電極６５」を覆って封止するものであるから、上記の（２）（３）を考慮すると、「薄膜トランジスタ４０」及び「発光素子６０」を覆っており、本願発明の「前記薄膜トランジスタ及び発光素子を覆う封止膜」に相当する。
（５）先願発明の「タッチセンサ２０」は、「表示領域１５上に形成」され、かつ、「封止膜７０上に」形成される「２次元的に配列された複数の第１電極２１と複数の第２電極２２」により構成されている。そして「複数の第１電極２１はＸ方向とＹ方向とにそれぞれ並んで２次元的に配列され」、「Ｘ方向に延びる複数の電極列をそれぞれ形成しており」、「複数の第２電極２２もＸ方向とＹ方向とにそれぞれ並んで２次元的に配列され」、「Ｙ方向に延びる複数の電極列を形成して」いるから、上記「２次元的に配列された複数の第１電極２１と複数の第２電極２２」は、本願発明の「前記封止膜上の表示領域に互いに交差して配置される複数の第１電極及び第２電極を含むタッチ電極アレイ」に相当する。
（６）先願発明の「タッチセンサ２０に電気的に接続された端子６８（第２端子）と、発光素子６０に電気的に接続された端子（第３端子）と」は、「周辺領域１１」において共通の「ＦＰＣ１３」に両方とも接続されており、これらの端子が複数個設けられることも当然であるから、先願発明の上記「第２端子」及び「第３端子」と本願発明の「前記基板の同じ辺に位置する非アクティブ領域に、離隔して平行に配置された複数の表示パッド及び複数のタッチパッド」とは、「前記基板の同じ辺に位置する非アクティブ領域に配置された複数の表示端子及び複数のタッチ端子」である点で共通するといえる。
（７）先願発明の「ＦＰＣ１３」は、「タッチセンサ２０に電気的に接続された端子６８（第２端子）と、発光素子６０に電気的に接続された端子（第３端子）との両方に接続されて」いることから、本願発明の「フレキシブルプリント回路基板」と先願発明の「ＦＰＣ１３」は、「前記表示端子及びタッチ端子に一緒に接続されたフレキシブルプリント回路基板」である点で共通する。
（８）先願発明の「有機ＥＬ表示装置」は、本願発明の「有機発光表示装置」に相当する。
　そうすると、両者は、
「アクティブ領域と非アクティブ領域を有する基板；
　前記アクティブ領域に配置された複数の薄膜トランジスタ；
　前記アクティブ領域の前記薄膜トランジスタのそれぞれに接続された発光素子；
　前記薄膜トランジスタ及び発光素子を覆う封止層；
　前記封止層上の前記アクティブ領域に互いに交差して配置される複数の第１タッチ電極及び第２タッチ電極を含むタッチ電極アレイ；
　前記基板の同じ辺に位置する非アクティブ領域に配置された複数の表示端子及び複数のタッチ端子；及び
　前記表示端子及びタッチ端子に一緒に接続されたフレキシブルプリント回路基板
を含む、有機発光表示装置。」
　である点で一致し、
「前記基板の同じ辺に位置する非アクティブ領域に配置された複数の表示端子及び複数のタッチ端子」について、本願発明が
「離隔して平行に配置された複数の表示パッド及び複数のタッチパッド」
であるのに対し、先願発明は、それぞれの端子が「離隔して平行に配置され」た「パッド」であることを明示していない点で一応相違する。
２　一応の相違点についての検討
（１）技術常識の認定
ア　本願の優先日より前に公開された特開２０１３−１３１６７７号公報には、次の事項が記載されている。
「【００２４】
（接合部１０Ａ０）
  図３は、接合部１０Ａ０付近の構成を拡大して表したものである。
図４（Ａ），（Ｂ）は、この接合部１０Ａ０を分解して表したものであり、（Ａ）は基板１０上の要部構成、
（Ｂ）は、ＦＰＣ２０の接着面側の構成をそれぞれ表している。
【００２５】
  
基板１０に形成された配線層１１は、上記のように複数の配線１１ａからなるが、これらの複数の配線１１ａはそれぞれ、各端部に接続用パッド１１ｂを有している。
「【００２７】
  これらの配線層１１および配線層２１は、図示しない接着層を介して対向配置されている（接着されている）。接着層は、例えば、導電性膜（ＡＣＦ：Anisotropic Conductive Film）の一種である、異方導電性接着剤から構成され、厚みは例えば２５μｍ〜３０μｍである。この異方導電性接着剤は、例えば接着フィルムの中に、導電性粒子を分散させて混入したもので、一対の電極間に挟み込んで圧接すると、これらの電極間において導通が得られるようになっている。このような異方導電性接着剤を用いた接合を、ＡＣＦ接合といい、これにより配線１１ａ，２１ａ間（詳細には、接続用パッド１１ｂ，２１ｂ間）の電気的接続が確保されている。配線層１１，２１同士の接着対象領域となる、接続用パッド１１ｂ，２１ｂのＸ方向の幅は、例えば５０μｍ〜２５０μｍとなっている。尚、接続用パッド１１ｂのＹ方向の幅は、後述の２段階実装を考慮して、接続用パッド２１ｂよりも長くなるように設計されている。」
【図３】
   
【図４】
       
イ　本願の優先日より前に公開された特開２０１５−１９５０９４号公報には、次の事項が記載されている。
「【００１９】
  図１は、本発明の一実施形態に係る有機ＥＬ表示装置１００の概略構成を示す平面図である。図１に示すように、有機ＥＬ表示装置１００の中央部には、基板２上に、例えば、三原色（赤（Ｒ）、緑（Ｇ）、青（Ｂ））及び白色（Ｗ）をそれぞれ発することにより一つの画素１０を構成する、４つ一組のサブ画素１０ａがマトリクス状に複数配置されて構成される。複数の画素１０に含まれる各サブ画素１０ａが選択的且つ発光量を調整して駆動されることによって、画像が表示される表示領域５０が形成される。また、表示領域５０の周辺領域には、表示領域５０内の各画素１０を選択的且つ発光量を調整して駆動するための駆動回路（Ｘドライバ、Ｙドライバ、シフトレジスタ等）３０、４０が配置される。
【００２０】
  基板２上の表示領域５０には、各駆動回路３０、４０に導通した複数の制御信号線と複数のデータ信号線とが互いに交差して配置され、制御信号線とデータ信号線との交差部に対応する位置には、複数の画素１０がマトリクス状に配置される。各画素１０には、制御信号線から供給される制御信号に応じて画素１０に供給されるデータ電圧の書き込みを制御することにより画素１０の発光を制御する薄膜トランジスタと、データ信号線から供給されるデータ電圧を保持する容量素子等を備える画素回路が配置される。
【００２１】
  また、基板２上には、各駆動回路３０、４０に導通して各駆動回路３０、４０に対して電源電圧や駆動信号を供給するともにグラウンドへの接地を行うための多数の配線パターンが形成される。
各配線パターンの端部は、基板２上の金属電極６０ａにそれぞれ接続される。各金属電極６０ａは、例えば、外部から駆動電力、駆動信号及びアース電位等を供給するフレキシブルプリント回路基板（図示せず）に接続される端子領域６０として構成されてもよい。
【図１】
   
ウ　本願の優先日より前に公開された特開２００７−１８００３２号公報には、次の事項が記載されている。
「【００２２】
　また、図２ａ〜図２ｃに示すように、上記のような構造を有する表示部Ａは、スキャン配線２１７Ａ、２１７Ｂ及びデータ配線２１８と接続される。スキャン配線２１７Ａ、２１７Ｂは、左右交互に形成され、スキャン配線２１７Ａ、２１７Ｂ及びデータ配線２１８の末端には、第１パッド部２８０Ａが設けられる。そして、表示部Ａのエッジ領域には、第１シーラント２７０Ａが塗布される。」
「【００２６】
　そして、前記第１パッド部２８０Ａと対応する領域のフィルム２９０上には、第２パッド部２８０Ｂが設けられる。第２パッド部２８０Ｂ は、駆動部２９５と電気的に接続される。第１パッド部２８０Ａと第２パッド部２８０Ｂは、第１基板と第２基板との接着時に異方性導電フィルムＡＣＦ（Ａｎｉｓｏｔｒｏｐｉｃ　Ｃｏｎｄｕｃｔｉｖｅ　Ｆｉｌｍ）２８５に接触し、これにより、第２パッド部２８０Ｂは、駆動部２９５からの駆動信号を第１パッド部２８０Ａに供給できる。」
【図２ａ】
   
【図２ｂ】
   
【図２ｃ】
   
エ　本願の優先日より前に公開された特開２０１４−１１０４１８号公報には、次の事項が記載されている。
「【００２８】
　図３及び図４Ａ、図４Ｂに示すように、本発明の実施形態に係るタッチセンサＴＳは、タッチ電極が形成されるタッチ電極形成領域Ａ、タッチ電極と各々接続されるルーティング配線が形成されるルーティング配線形成領域Ｂ、及びルーティング配線とタッチ駆動回路の信号ラインを接続するためのルーティングパッドが形成されるパッド形成領域Ｃを備える。」
「【００４２】
　パッド形成部Ｃは、ベース層１００のルーティング配線部Ｂに隣接して形成される複数の第１ルーティングパッドＲＰ１〜ＲＰ３と、複数の第２ルーティングパッドＴＰ１〜ＴＰ３とを備える。
【００４３】
　複数の第１ルーティングパッドＲＰ１〜ＲＰ３は、各々複数の第１ルーティング配線ＲＷ１〜ＲＷ３を介して複数の第１タッチ電極Ｒｘ１〜Ｒｘ３に各々接続される。複数の第２ルーティングパッドＴＰ１〜ＴＰ３は、各々複数の第２ルーティング配線ＴＷ１’〜ＴＷ３’、複数の接続部Ｃ１〜Ｃ３、及び複数の第３ルーティング配線ＴＷ１〜ＴＷ３を介して複数の第２タッチ電極Ｔｘ１〜Ｔｘ３に各々接続される。第１及び第２ルーティングパッドＲＰ１〜ＲＰ３、ＴＰ１〜ＴＰ３もルーティング配線と同様に、透明導電性物質からなる第１層と金属物質からなる第２層の２層構造で形成される。」
【図３】
   
オ　技術常識の認定
　前記アからエを踏まえると、ＦＰＣ（フレキシブルプリント基板）を接続する基板の端子構造として、複数のパッドを隔離して平行に配置させたものは技術常識であると認められる。
（２）一応の相違点についての判断
　前記（１）のオにおいて認定したとおり、ＦＰＣ（フレキシブルプリント基板）を接続する基板の端子構造として、複数のパッドを隔離して平行に配置させたものは技術常識であり、当業者が先願明細書等にあたった場合には、ＦＰＣが接続される端子の構造として、そのような複数のパッドを隔離して平行に配置させたものを当然に認識するといえるから、上記の相違点は実質的な相違点ではない。
　したがって、本願発明と先願発明は実質的に同一であり、また、本願の発明者が先願の発明者と同一ではなく、本願の出願の時において、その出願人が先願の出願人と同一でもないから、本願発明は、特許法２９条の２の規定により特許を受けることができないものである。
　
　
第６　むすび
　以上のとおり、本願発明は、特許法２９条の２の規定により特許を受けることができないから、他の請求項に係る発明について検討するまでもなく、本願は拒絶すべきものである。
　よって、結論のとおり審決する。